(57)【要約】  本発明は、自動車用の潤滑組成物の分野に関する。本発明による潤滑組成物は、式（Ｘ）Ｗ（Ｙ）（Ｘは０又は５を表し；Ｙは４から２０の範囲の整数を表す）によって定義されるＳＡＥ Ｊ３００分類による等級のものであり、かつ、式Ra-C(O)-O-([C(R)2]n-O)s-C(O)-Rb（I）の少なくとも１つのジエステルを含む。本発明はまた、エンジンの燃料消費を減らし、エンジンの清浄度を向上させるための、エンジン、特に車両エンジン用の潤滑剤としてのこのような組成物の使用にも関する。【特許請求の範囲】
【請求項１】
式（Ｘ）Ｗ（Ｙ）（Ｘは０又は５を表し、Ｙは４〜２０の範囲の整数を表す）によって定義されるＳＡＥ  Ｊ３００分類による等級の潤滑組成物であって、下記式（Ｉ）：
【化１】
2020530052.tif 000019
（式中：
- Rは、独立に、水素原子、又は直鎖状の若しくは分岐した（Ｃ１〜Ｃ５）アルキル基、特に、メチル、エチル、又はプロピル基、とりわけメチルを表し；
- sは、１、２、３、４、５、又は６であり；特に、sは、１、２、又は３であり、さらに特に、sは１又は２であり；
- nは、１、２、又は３であり；特に、nは２又は３であり、さらに特に、nは２であり；
ただし、sが１と異なる場合は、nは同じでも異なっていてもよいことが理解され；そして
- Ra及びRbは、同一でも異なっていてもよく、独立に、６〜１８個の炭素原子の直鎖を有する飽和又は不飽和の、直鎖状の又は分岐した炭化水素基を表し；
ただし、sが２であり、n（これは同一である）が２である場合には、R基の少なくとも１つは直鎖状の又は分岐した（Ｃ１〜Ｃ５）アルキル基を表し；かつ
ただし、sが１であり、nが３である場合には、エステル官能基の酸素原子のベータ位の炭素に結合したR基の少なくとも１つは水素原子を表す）
の少なくとも１つのジエステルを含む、潤滑組成物。
【請求項２】
Ra及びRbは、同じでも異なっていてもよく、７〜１４個の炭素原子、特に８〜１２個の炭素原子、さらに特に８〜１１個の炭素原子の線形配列を有することを特徴とする、請求項１に記載の組成物。
【請求項３】
Ra及びRbは、同じでも異なっていてもよく、Ｃ６〜Ｃ１８、特にＣ７〜Ｃ１７、とりわけＣ７〜Ｃ１４、好ましくはＣ８〜Ｃ１２、より好ましくはＣ８〜Ｃ１１、とりわけＣ８〜Ｃ１０の直鎖アルキル基を表すことを特徴とする、請求項１又は２に記載の組成物。
【請求項４】
Ra及びRbが両方ともn-オクチル又はn-ウンデシル基、好ましくはn-オクチルを表すことを特徴とする、請求項１〜３のいずれか一項に記載の組成物。
【請求項５】
前記ジエステルが、下記式（I'）：
【化２】
2020530052.tif 000020
（式中：
- R及びR’は、独立に、水素原子、又は直鎖状の若しくは分岐した（Ｃ１〜Ｃ５）アルキル基、特に、メチル、エチル、又はプロピル基、特にメチル基を表し；
- sは、１、２、又は３であり、特にsは１又は２であり；
- nは２であり；
- mは２であり；
- Ra及びRbは、同一でも異なっていてもよく、独立に、６〜１８個の炭素原子の直鎖を有する飽和又は不飽和の、直鎖状の又は分岐した炭化水素基を表し；
ただし、sが２である場合は、R又はR’基の少なくとも１つは、直鎖状の又は分岐した（Ｃ１〜Ｃ５）アルキル基を表す）
のジエステルであることを特徴とする、請求項１〜４のいずれか一項に記載の組成物。
【請求項６】
前記ジエステルが式（I'）のジエステルであり、式（I'）において、
- sが２であり；
- R基の１つが直鎖状の又は分岐した（Ｃ１〜Ｃ５）アルキル基、特に、メチル、エチル、又はプロピル基、有利にはメチルを表し；
- R'基の１つが直鎖状の又は分岐した（Ｃ１〜Ｃ５）アルキル基、特に、メチル、エチル、又はプロピル基、有利にはメチルを表し；その他のR及びR'基は水素原子を表す、
ことを特徴とする、請求項５に記載の組成物。
【請求項７】
- sが１に等しく；
- R基の１つが直鎖状の又は分岐した（Ｃ１〜Ｃ５）アルキル基、特に、メチル、エチル、又はプロピル基、有利にはメチルを表し；その他は水素原子を表す、
ことを特徴とする、請求項５に記載の組成物。
【請求項８】
前記ジエステルが、モノプロピレン又はポリプロピレングリコール、特にモノプロピレングリコール又はジプロピレングリコールと、１つ以上のカルボン酸Ra-COOH及びRb-COOH、特にノナン酸又はウンデカン酸との間のエステル化反応によって得られるものであることを特徴とする、請求項１〜７のいずれか一項に記載の組成物。
【請求項９】
組成物の総質量に基づいて、式（I）のジエステル（１又は複数）を１〜３０質量％、特に５〜３０質量％、とりわけ５〜２５質量％、さらに特に１０〜２５質量％、さらにいっそう特に１０〜２０質量％含むことを特徴とする、請求項１〜８のいずれか一項に記載の組成物。
【請求項１０】
API分類のグループII、III、及びIVの油から選択される１種以上の基油、特に少なくとも１つのグループIIIの基油を含むことを特徴とする、請求項１〜９のいずれか一項に記載の組成物。
【請求項１１】
摩擦調整添加剤、耐摩耗添加剤、極圧添加剤、清浄添加剤、酸化防止添加剤、粘度指数向上剤、流動点降下剤、分散剤、消泡剤、増粘剤、及びそれらの混合物から選択される１つ以上の添加剤を含む、請求項１〜１０のいずれか一項に記載の組成物。
【請求項１２】
少なくとも１つの摩擦調整添加剤、特にモリブデンベースのもの、とりわけ、モリブデンジチオカルバメート、モリブデンジチオホスフェート、及びそれらの混合物から選択される少なくとも１つの摩擦調整添加剤を含む、請求項１〜１１のいずれか一項に記載の組成物。
【請求項１３】
０Ｗ４、０Ｗ８、０Ｗ１２、０Ｗ１６、０Ｗ２０、５Ｗ４、５Ｗ８、５Ｗ１２、５Ｗ１６、及び５Ｗ２０から選択されるＳＡＥ  Ｊ３００分類による等級の、請求項１〜１２のいずれか一項に記載の組成物。
【請求項１４】
エンジン、特に車両用エンジン用の潤滑剤としての、請求項１〜１３のいずれか一項に記載の組成物の使用。
【請求項１５】
エンジンの燃料消費を低減するための、式（Ｘ）Ｗ（Ｙ）（Ｘは０又は５を表し、Ｙは４〜２０の範囲の整数を表す）によって定義され、かつエンジン、特に車両用エンジンのためのものであるＳＡＥ  Ｊ３００分類による等級の潤滑組成物中の添加剤としての、請求項１〜８のいずれか一項において定義する式（I）のジエステルの使用。
【請求項１６】
エンジンの清浄度を向上させるための、式（Ｘ）Ｗ（Ｙ）（Ｘは０又は５を表し、Ｙは４〜２０の範囲の整数を表す）によって定義され、かつエンジン、特に車両用エンジンのためのものであるＳＡＥ  Ｊ３００分類による等級の潤滑組成物中の添加剤としての、請求項１〜８のいずれか一項において定義する式（I）のジエステルの使用。
【発明の詳細な説明】
【技術分野】
【０００１】
本発明は、エンジン、特に自動車エンジン用の潤滑組成物の分野に関する。特に、エンジンの清浄度の向上及び燃料消費量の削減に関して向上した性能をもつ潤滑組成物を提供することを目的としている。
【０００２】
「潤滑剤」としても知られる潤滑組成物は、エンジン内で動くさまざまな金属部品間の摩擦力を減らすことを主な目的として、エンジンに一般的に使用されている。さらに、潤滑組成物は、それらの部品、特にその表面への早期の摩耗及び損傷を防ぐのに有効である。
【０００３】
この目的のためには、潤滑組成物は、古くから基油（ベースオイル）からなり、そこへ、通常は、基油の潤滑性能を高めるだけでなく、追加の性能をもたらすのに貢献するいくつかの添加剤、例えば、摩擦調整添加剤が添加される。例えば、酸化及び燃焼による副生成物を溶解することによって、金属部品の表面上への堆積物の形成を避けるために、清浄剤が非常に頻繁に考慮される。
【０００４】
明らかな理由から、潤滑剤の性能を向上させることは常に関心のある事項である。特に、増大する環境要求事項に適合させるために、車両の燃料消費量を削減することに関心が高まっている。
【０００５】
この点に関して、潤滑組成物は、エンジンの様々な部分の間で発生する摩擦力への影響を通じて燃料消費に影響を及ぼす有効な手段であることが知られている。特に、基油（ベースオイル）の品質は、それ単独で、又は粘度指数向上ポリマー及び摩擦調整添加剤（摩擦調整剤）と組み合わせて、燃料経済性を達成するのに特に極めて重要であることが知られている。
【０００６】
例えば、いわゆる「Fuel-Eco（燃料エコ）」（fuel economyに対するFE, 燃料経済性）潤滑組成物はすでに開発されている。多かれ少なかれ流体グレードの基油は、そのような「燃料エコ」潤滑油を得る際の決定的要因である。
【０００７】
さらに、潤滑剤に使用されるいくつかのモノエステルは室温で固体であり、これは潤滑剤の低温でのポンプ輸送性の問題を引き起こし、さらに、そのような潤滑剤はSAE J300の基準を満たさない。
【０００８】
欧州特許出願公開第２９１３３８６号明細書により、５０〜９７質量％の基油及び３〜５０質量％の2-エチルヘキシルセバケートを含み、燃料エコ特性を有する潤滑組成物も知られている。
【０００９】
エンジンの故障は、ほとんどの場合、エンジンの汚れの結果である。実際に、エンジンの清浄度を改善する潤滑組成物をもつことが望まれる。
【先行技術文献】
【特許文献】
【００１０】
【特許文献１】欧州特許出願公開第２９１３３８６号明細書
【発明の概要】
【発明が解決しようとする課題】
【００１１】
本発明は、潤滑組成物、特に車両エンジンのための潤滑組成物を提供することをまさに目的とするものであって、それは燃料経済性とエンジン清浄度の点で改善された特性の両方を兼ね備えている。
【課題を解決するための手段】
【００１２】
すべての予想に反して、本発明者らは、特定のジエステルを使用することを考慮することを条件として、改善されたエンジンの清浄度に関してその効率が向上し、燃料消費節約に関して、いわゆる「Fuel-Eco（燃料エコ）」潤滑組成物の燃料消費節約と同等又はそれよりさらに優れている性能をもたらす潤滑組成物を得ることができることを発見している。
【００１３】
したがって、本発明は、その第１の側面によれば、式（Ｘ）Ｗ（Ｙ）（Ｘは０又は５を表し、Ｙは４〜２０の範囲の整数を表す）によって定義されるSAE J300分類によるグレードの潤滑組成物に関連し、前記組成物は下記式（Ｉ）の少なくとも１つのジエステルを含む：
【化１】
2020530052.tif 000002
式中：
- Rは、独立に、水素原子、又は直鎖状の若しくは分岐した（Ｃ１〜Ｃ５）アルキル基、特に、メチル、エチル、又はプロピル基、とりわけメチルを表し；
- sは、１、２、３、４、５、又は６であり；
- nは、１、２、又は３であり；
ただし、sが１と異なる場合は、nは同じでも異なっていてもよく；そして
- Ra及びRbは、同一でも異なっていてもよく、独立に、６〜１８個の炭素原子の直鎖を有する飽和又は不飽和の、直鎖状の又は分岐した炭化水素基を表し；
ただし、sが２であり、n（これは同一である）が２である場合には、R基の少なくとも１つは直鎖状の又は分岐した（Ｃ１〜Ｃ５）アルキル基を表し；
ただし、sが１であり、nが３である場合には、エステル官能基の酸素原子のベータ位の炭素に結合したR基の少なくとも１つは水素原子を表す。
【００１４】
好ましくは、sは、１、２、又は３であり、特にsは１又は２である。
【００１５】
好ましくは、nは２又は３であり、特にnは２である。
【００１６】
特定の態様によれば、本発明による式（I）のジエステルは、下の式（I'）のジエステルである：
【化２】
2020530052.tif 000003
式中：
- R及びR'は、独立に、水素原子、又は直鎖状の若しくは分岐した（Ｃ１〜Ｃ５）アルキル基、特に、メチル、エチル、又はプロピル基、とりわけメチル基を表し；
- sは、１、２、又は３であり、特にsは１又は２であり；
- nは２であり；
- mは２であり；
- Ra及びRbは、同一でも異なっていてもよく、独立に、６〜１８個の炭素原子の直鎖を有する飽和又は不飽和の、直鎖状の又は分岐した炭化水素基を表し；
ただし、sが２である場合は、R又はR'基の少なくとも１つは、直鎖状の又は分岐した（Ｃ１〜Ｃ５）アルキル基を表す。
【００１７】
有利には、式（I'）のジエステル中のR又はR'基の少なくとも１つは、直鎖状の又は分岐した（Ｃ１〜Ｃ５）アルキル基、特に（Ｃ１〜Ｃ４）アルキル基、より好ましくは、メチル、エチル、又はプロピル、有利にはメチルを表す。
【００１８】
式（I）、特に式（I'）のジエステルは、以下に、より詳細に記述されている。
【００１９】
好ましくは、上述した式（I）及び（I'）中のRa及びRbは、７〜１４個の炭素原子、特に８〜１２個の炭素原子、さらに特に８〜１１個の炭素原子、とりわけ８〜１０個の炭素原子の線形配列を有する。特に、Ra及びRbは両方ともn-オクチル又はn-ドデカノイル基、好ましくはn-オクチルを表す。
【００２０】
式（I）、特に上述した式（I'）のそのようなジエステルを組み込んだ潤滑組成物は、エンジン、特に車両エンジン用の潤滑剤として使用するのに特に有効であることが判明している。
【００２１】
したがって、本発明は、その側面の別のものによれば、エンジン、特に車両エンジン用の潤滑剤としての上述した組成物の使用に関する。
【００２２】
特に、以下の例に示されるように、発明者らは、式（Ｘ）Ｗ（Ｙ）（Ｘは０又は５を表し、Ｙは４〜２０の範囲の整数を表す）で定義されるSAE J300分類による等級であり、かつ本発明による少なくとも１つのジエステルを含む潤滑組成物は、モノエステル、本発明のもの以外のジエステル、又はトリエステルを含む潤滑組成物と比較して、低減された燃料消費（「燃料エコ」特性）及びエンジンの清浄度の両方に関して、改善された特性を明らかに示すことに気付いた。
【００２３】
確かに、1951年の日付のGB716086号明細書は、潤滑組成物にジエステルを用いることを提案している。しかしながら、この使用は、本発明の使用とは非常に異なる事情において考えられたものである。まず第一に、GB716086号明細書で考慮されている潤滑組成物は、本発明に従って考えられているものと一致せず、とりわけ、温度の非常に広い変動にさらされる航空機エンジンでの使用が意図されている。合成エステルは、それが高い粘度指数及び引火点をもち、かつ同等の粘度の鉱油よりも低い流動点を有するという点で、鉱油よりも興味深いと説明されている。
【００２４】
本発明との関連において、考えられている潤滑組成物は、式（Ｘ）Ｗ（Ｙ）（Ｘは０又は５を表し、Ｙは４〜２０の範囲の整数を表す）によって定義されるSAE J300分類による等級のものである。このグレードは、特に自動車エンジン用途向けの潤滑組成物の選択に適しており、始動時の低温粘度、低温ポンプ能力、低せん断速度における動粘性率、及び高せん断速度での動的粘度などのさまざまなパラメーターに関してとりわけ定量化された特異性を充足する。
【００２５】
有利なやり方では、本発明に従って考えられるグレードの潤滑組成物中の添加剤として、上で定義した式（I）、特に上述した式（I'）のジエステルの使用は、エンジンの燃料消費量を低減することを可能にする。言い換えれば、本発明の潤滑組成物は、低減された燃料消費への手段を提供するという点で「燃料エコ」の資格を満たす。
【００２６】
したがって、本発明の別の側面によれば、本発明は、エンジンの燃料消費を低減するための、式（Ｘ）Ｗ（Ｙ）（Ｘは０又は５を表し、Ｙは４〜２０の範囲の整数を表す）によって定義され、かつエンジン、特に車両用エンジンのためのものであるSAE J300分類による等級の潤滑組成物中の添加剤として、上で定義した式（I）、及び特に上で述べた式（I'）のジエステルを使用することをさらに意図している。
【００２７】
また、以下の例に示されるように、本発明による潤滑組成物における、良好な洗浄特性を有するそのようなジエステルの使用はエンジンの清浄度を有利に向上させる。
【００２８】
したがって、本発明は、そのなお別の側面によれば、エンジンの清浄度を向上させるための、式（Ｘ）Ｗ（Ｙ）（Ｘは０又は５を表し、Ｙは４〜２０の範囲の整数を表す）で定義され、エンジン、特に車両エンジンのためのSAE J300分類による等級の潤滑組成物における添加剤としての、上で定義した式（I）のジエステル、特に上で述べた式（I'）のジエステルの使用に関する。
【００２９】
本発明による潤滑組成物のその他の特徴、変形、及び利点は、本発明の非限定的な例示の目的を前提として、以下に続く説明及び実施例を読むことによってより明確になるであろう。
【００３０】
以下では、「...と...の間」、「...から（〜）...（まで）」および「...から...まで変わる」という表現は同等であり、特に別段の規定がない限り、それらの境界が含まれることを意味する。
【００３１】
別段の規定がない限り、「１つを含む」という表現は「少なくとも１つを含む」と理解される。
【００３２】
一般式（I）のジエステル
上述したように、本発明による潤滑組成物は、一般式（I）の少なくとも１つのジエステルを含有するという特徴を有する。
【化３】
2020530052.tif 000004
式中：
- Rは、独立に、水素原子、又は直鎖状の若しくは分岐した（Ｃ１〜Ｃ５）アルキル基、特にメチル、エチル、又はプロピル基、とりわけメチルを表し；
- sは、１、２、３、４、５、又は６であり；特に、ｓは、１、２、又は３であり、さらに特に、ｓは１又は２であり；
- nは、１、２、又は３であり；特に、ｎは２又は３であり、さらに特に、nは２であり、sが１と異なる場合は、nは同じでも異なっていてもよいことが理解され；そして
- Ra及びRbは、同一でも異なっていてもよく、独立に、６〜１８個の炭素原子の直鎖を有する、飽和又は不飽和の、直鎖状の又は分岐した炭化水素基を表し；
ただし、sが２であり、n（これは同一である）が２である場合には、R基の少なくとも１つは直鎖状の又は分岐した（Ｃ１〜Ｃ５）アルキル基を表し；
ただし、sが１であり、nが３である場合には、エステル官能基の酸素原子のベータ位の炭素に結合したR基の少なくとも１つは水素原子を表す。
【００３３】
以下、本発明による式（I）のジエステルは、より簡単に、本発明のジエステルとして示す。
【００３４】
好ましくは、本発明との関連において：
- 「Ｃｔ−ｚ」（ｔ及びｚは整数）は、ｔからｚ個の炭素原子を有してよい炭素鎖を指す。たとえば、Ｃ１〜４は、１〜４個の炭素原子を有してよい炭素鎖を指す。
- 「アルキル」は、飽和の直鎖状の又は分岐した脂肪族基を指す。例えば、Ｃ１〜４-アルキル基は、１〜４個の炭素原子の直鎖状の又は分岐した炭素鎖、より具体的には、メチル、エチル、プロピル、イソプロピル、ブチル、イソブチル、tert-ブチルを表す。
【００３５】
好ましくは、上述した式（I）において、sが１と異なる場合、全てのnは同じである。
【００３６】
特に、上述した式（I）中のnは２又は３であり、さらに特にnは２である。
【００３７】
好ましくは、上述した式（I）中のsは、１、２、又は３であり、好ましくは、sは１又は２である。
【００３８】
好ましくは、Ｒ基の少なくとも１つは、直鎖状の又は分岐した（Ｃ１〜Ｃ５）アルキル基、特に（Ｃ１〜Ｃ４）アルキル基、より好ましくは、メチル、エチル、又はプロピル、有利にはメチルを表す。
【００３９】
特に好ましい態様によれば、本発明による式（I）のジエステルは、さらに特に、下の式（I'）のジエステルであってよい：
【化４】
2020530052.tif 000005
式中：
- R及びR’は、独立に、水素原子、又は直鎖状の若しくは分岐した（Ｃ１〜Ｃ５）アルキル基、特に、メチル、エチル、又はプロピル基、特にメチル基を表し；
- sは、１、２、又は３であり、特にsは１又は２であり；
- nは２であり；
- mは２であり；
- Ra及びRbは、同一でも異なっていてもよく、独立に、６〜１８個の炭素原子の直鎖を有する飽和又は不飽和の、直鎖状の又は分岐した炭化水素基を表し；
ただし、sが２である場合は、R又はR’基の少なくとも１つは、直鎖状の又は分岐した（Ｃ１〜Ｃ５）アルキル基を表す。
【００４０】
好ましくは、本発明によるジエステルは式（I'）で表されるものであって、式中、R又はR'の少なくとも１つは、直鎖状の又は分岐した（Ｃ１〜Ｃ５）アルキル基、特に（Ｃ１〜Ｃ４）アルキル基、より好ましくは、メチル、エチル、又はプロピル、有利にはメチルを表す。
【００４１】
変形した態様によれば、上述した式（I）又は（I'）中のsは２である。
【００４２】
特に、本発明によるジエステルは、下記式（I'a）を有し得る：
【化５】
2020530052.tif 000006
式中：
- R及びR'は、独立に、水素原子、又は直鎖状の若しくは分岐した（Ｃ１〜Ｃ５）アルキル基、特にメチル、エチル、又はプロピル基、有利にはメチル基を表し；
- nは２であり；
- mは２であり；
- Ra及びRbは、同一でも異なっていてもよく、独立に、６〜１８個の炭素原子の直鎖を有する飽和又は不飽和の、直鎖状の又は分岐した炭化水素基を表し；
ただし、R又はR'基の少なくとも１つは、直鎖状の又は分岐した（Ｃ１〜Ｃ５）アルキル基、特に、メチル、エチル、又はプロピル、有利にはメチルを表す。
【００４３】
好ましくは、R基の少なくとも１つは、直鎖状の又は分岐した（Ｃ１〜Ｃ５）アルキル基、特に、メチル、エチル、又はプロピル基、有利にはメチルを表し、かつ、R'の少なくとも１つは、直鎖状の又は分岐した（Ｃ１〜Ｃ５）アルキル基、特に、メチル、エチル、又はプロピル基、有利にはメチルを表す。
【００４４】
さらにより好ましくは、本発明のジエステルは、式（I'a）で表されるものであってよく、式中、R基の１つは、直鎖状の又は分岐した（Ｃ１〜Ｃ５）アルキル基、特に、メチル、エチル、又はプロピル基、有利にはメチルを表し、かつ、R'基の１つは、直鎖状の又は分岐した（Ｃ１〜Ｃ５）アルキル基、特に、メチル、エチル、又はプロピル基、有利にはメチルを表し、 その他のR及びR'基は水素原子を表す。
【００４５】
言い換えれば、特定の態様によれば、本発明のジエステルは、下記式（I"a）を有することができる：
【化６】
2020530052.tif 000007
ここで：
- R1及びR2基のうち１つは、直鎖状の又は分岐した（Ｃ１〜Ｃ５）アルキル基を表し、その他は水素原子を表し；
- R3及びR4基のうち１つは、直鎖状の又は分岐した（Ｃ１〜Ｃ５）アルキル基を表し、その他は水素原子を表し；かつ
- Ra及びRbは、同一又は異なっていてよく、上で定義したとおりである。
【００４６】
特に、本発明のジエステルは、式（I"a）で表されるものであることができ、式中、
- R1及びR2基のうち１つが、メチル、エチル、又はプロピル基、有利にはメチルを表し、他方は水素原子を表し；かつ
- R3及びR4基のうち１つが、メチル、エチル、又はプロピル基、有利にはメチル基を表し、他方は水素原子を表す。
【００４７】
別の変形態様によれば、上記の式（I）又は（I'）中のsは１である。
【００４８】
言い換えれば、本発明によるジエステルは、下記式（I'b）で表されるものであることができる：
【化７】
2020530052.tif 000008
式中、
- Rは、独立に、水素原子、又は直鎖状の若しくは分岐した（Ｃ１〜Ｃ５）アルキル基、特に、メチル、エチル、又はプロピル基、有利にはメチルを表し；
- nは２であり；
- Ra及びRbは、同一でも異なっていてもよく、独立に、６〜１８個の炭素原子の直鎖を有する、飽和又は不飽和の、直鎖状の又は分岐した炭化水素基を表す。
【００４９】
好ましくは、上述した式（I'b）において、Rのうち少なくとも１つは、直鎖状の又は分岐した（Ｃ１〜Ｃ５）アルキル基、特に、メチル、エチル、又はプロピル基、有利にはメチルを表す。
【００５０】
特に、本発明のジエステルは、式（I'b）で表されるものであってよく、式中、R基の1つは、直鎖状の又は分岐した（Ｃ１〜Ｃ５）アルキル基、特に、メチル、エチル、又はプロピル基、有利にはメチルを表し、その他は水素原子を表す。
【００５１】
さらに別の変形態様によれば、本発明のジエステルは式（I）で表され、式中、sが３である。
【００５２】
好ましくは、この変形態様との関連において、n（これは同一である）は２に等しい。好ましくは、-([C(R)2]n-O)-基のそれぞれについて、Rのうち１つは直鎖状の又は分岐した（Ｃ１〜Ｃ５）アルキル基、特に、メチル、エチル、又はプロピル、有利にはメチルを表し、その他は水素原子を表す。
【００５３】
上で示したように、上の式（I）、（I'）、（I'a）、（I"a）、及び（I'b）中のRa及びRbは、同一又は異なっていてよく、６〜１８個の炭素原子の直鎖を有する、飽和又は不飽和の、直鎖状の又は分岐した炭化水素基を表す。
【００５４】
「炭化水素」基は、その分子の残りの部分に直接結合した炭素原子を有し、主に脂肪族炭化水素の特性を有する任意の基を意味する。
【００５５】
好ましくは、Ra及びRbは、７〜１７個の炭素原子、特に７〜１４個の炭素原子、特に８〜１２個の炭素原子、特に８〜１１個の炭素原子、とりわけ８〜１０個の炭素原子の直鎖を有する。
【００５６】
「ｔ〜ｚ個の炭素原子の線形配列（直鎖状配列）」とは、連続したｔからｚ個の炭素原子を含む飽和又は不飽和の、好ましくは飽和の炭素鎖を意味し、その炭素鎖の任意選択により場合によっては存在していてもよい分岐に存在する炭素原子は、その線形配列を構成する炭素原子の数（ｔ〜ｚ）には入れない。
【００５７】
特定の態様によれば、上の式（I）、（I'）、（I'a）、（I"a）、又は（I'b）において、Ra及びRbは、同一又は異なっていてよく、植物、動物、又は石油起源のものである。
【００５８】
特定の態様によれば、上述した式（I）、（I'）、（I'a）、（I"a）、又は（I'b）において、Ra及びRbは、同一又は異なっていてよく、飽和基を表す。
【００５９】
別の特に好ましい態様によれば、上述した式（I）、（I'）、（I'a）、（I"a）、又は（I'b）において、Ra及びRbは、同一または異なっていてよく、直鎖状の基を表す。
【００６０】
特に、Ra及びRbは、Ｃ６〜Ｃ１８、特にＣ７〜Ｃ１７、とりわけＣ７〜Ｃ１４、好ましくはＣ８〜Ｃ１２、より好ましくはＣ８〜Ｃ１１、とりわけＣ８〜Ｃ１０の飽和直鎖炭化水素基を表す。
【００６１】
別の特に好ましい態様によれば、上述した式（I）、（I'）、（I'a）、（I"a）、又は（I'b）において、Ra及びRbは、 Ｃ６〜Ｃ１８、特にＣ７〜Ｃ１７、とりわけＣ７〜Ｃ１４、好ましくはＣ８〜Ｃ１２、より好ましくはＣ８〜Ｃ１１、とりわけＣ８〜Ｃ１０アルキル基を表す。
【００６２】
特に、RaとRbは同じである。
【００６３】
好ましくは、Ra及びRbは両方ともn-オクチル又はn-ウンデシル基、好ましくはn-オクチルを表す。
【００６４】
本発明による式（I）のジエステルは、市販されているか、又は文献に記載されており且つ当業者に知られている合成方法に従って調製することができる。これらの合成方法は、さらに特に、式HO-([C(R)2]n-O)s-OHのジオール化合物と式Ra-COOH及びRb-COOHの化合物との間のエステル化反応を含み、ここでRa及びRbは、同一又は異なっていてよく、上で定義したとおりである。
【００６５】
もちろん、本発明によるジエステルを得るために合成の条件を調整することは、当業者に任されている。
【００６６】
例として、上述した式（I）、特に上述した式（I'）のジエステルは、モノプロピレングリコール又はポリプロピレングリコール、特にモノプロピレングリコール（MPG）又はジプロピレングリコール（DPG）と、１つ以上の適切なカルボン酸Ra-COOH及びRb-COOHとの間のエステル化反応によって得ることができる。
【００６７】
例として、上で定義された式（I'）（式中、
- sは２であり、
- R基の１つは、直鎖状の又は分岐した（Ｃ１〜Ｃ５）アルキル基、特に、メチル、エチル、又はプロピル基、有利にはメチルを表し、その他は水素原子を表し；かつ
- R'基の１つは、直鎖状の又は分岐した（Ｃ１〜Ｃ５）アルキル基、特に、メチル、エチル、又はプロピル基、有利にはメチルを表し、その他は水素原子を表す）
のジエステル又はジエステルの混合物は、ジプロピレングリコール（DPG）と１つ以上の適切なカルボン酸Ra-COOH及びRb-COOHとのエステル化反応によって得ることができる。
【００６８】
上で定義した式（I'）（式中、
- sは１であり、
- R基の１つが、直鎖状の又は分岐した（Ｃ１〜Ｃ５）アルキル基、特に、メチル、エチル、又はプロピル基、有利にはメチルを表し、その他は水素原子を表す）
のジエステルは、モノプロピレングリコール（MPG）と１つ以上の適切なカルボン酸Ra-COOH及びRb-COOHとのエステル化反応によって得ることができる。
【００６９】
特に、Ra及びRbが両方ともn-オクチル又はn-ウンデシル基を表す場合、そのようなジエステル又はジエステル混合物は、モノプロピレングリコール又はジプロピレングリコールとノナン酸又はウンデカン酸との間のエステル化反応によって得ることができる。
【００７０】
潤滑組成物
式（Ｉ）のジエステルは、１つ以上の基油（ベースオイル）と、特に以下に規定するように、混合して、すぐに使用できる潤滑組成物を形成することができる。あるいは、それらは、単独で、又は１つ以上の他の添加剤と混合して、以下に規定されるように、潤滑組成物の特性を改善するために基油の混合物に添加される添加剤として、添加することができる。
【００７１】
本発明による式（I）のジエステルは、潤滑組成物において、単独で、又は式（I）の他の１つ以上のジエステルと組み合わせて使用できることが理解される。
【００７２】
有利には、本発明による潤滑組成物は、したがって、少なくとも５０質量％の、Ra及びRbがＣ８〜Ｃ１０飽和直鎖炭化水素基、特にＣ８〜１０-アルキル基を表す式（I）の１つ以上のジエステルから構成される、式（I）のジエステルの混合物を含むことができる。
【００７３】
特定の実施形態によれば、本発明による潤滑組成物は、少なくとも、本発明による式（I）のジエステルとして、モノプロピレングリコール（MPG）又はジプロピレングリコール（DPG）とＣ７〜Ｃ１９カルボン酸との間の、特にMPG又はDPGとノナン酸又はウンデカン酸との間のエステル化反応によって生じるジエステル又はジエステル混合物を含む。
【００７４】
好ましくは、本発明による潤滑組成物は、少なくとも、本発明による式（I）のジエステルとして、MPG又はDPGとノナン酸との間のエステル化反応によって生じるジエステル又はジエステル混合物を含む。
【００７５】
本発明による式（Ｉ）のジエステル（１又は複数）の含有量を、潤滑組成物に使用するように適合させることは当業者に任される。
【００７６】
一般に、本発明による潤滑組成物は、組成物の総質量に基づいて、式（I）のジエステル（１又は複数）を１〜３０質量％含み得る。特に、潤滑組成物は、式（I）のジエステル（１又は複数）を５〜３０質量％、特に５〜２５質量％、さらに特に１０〜２５質量％、さらにいっそう特に１０〜２０質量％含むことができる。
【００７７】
本発明による潤滑組成物は、上で定義した式（Ｉ）の１つ以上のジエステルに加えて、特に以下で規定するように、１つ以上の基油（ベースオイル）並びに添加剤を含むことができる。
【００７８】
基油（ベースオイル）
本発明による潤滑組成物は、さらには、１つ以上の基油（ベースオイル）を含んでもよい。
【００７９】
これらの基油は、潤滑油の分野で通常使用される基油、例えば、鉱物油、合成油、又は天然油、動物油、若しくは植物油、又はそれらの混合物から選択することができる。
【００８０】
本発明による潤滑組成物に使用される基油は、特に、API分類（表Ａ）で定義されたクラスにしたがうグループＩ〜Ｖに属する鉱物又は合成起源の油、又はATIEL分類に従うそれらの同等物、又はそれらの混合物であってよい。
【００８１】
【表１】
2020530052.tif 000009
【００８２】
鉱物基油には、原油の常圧及び真空蒸留と、それに続く精製操作、例えば、溶媒抽出、脱アスファルト、溶媒脱ろう、水素化処理、水素化分解、水素化異性化、及び水素化仕上（hydrofinishing）によって得られる全てのタイプの基剤が含まれる。
【００８３】
合成基油は、カルボン酸とアルコールのエステル、又はポリアルファオレフィンであることができる。 基油として使用されるポリアルファオレフィンは、例えば、４〜３２の炭素原子をもつモノマー、例えば、デセン、オクテン、又はドデセンから得られ、ASTM D445に準拠して１．５〜１５ｍｍ２・ｓ−１の１００℃における粘度を有する。それらの平均分子量は、一般に、ASTM D5296に準拠して２５０〜３０００である。
【００８４】
合成油と鉱物油の混合物も使用できる。
【００８５】
本発明による潤滑組成物を製造するために異なる潤滑基剤を使用することに関しては、それらが、車両エンジンでの使用に適した特性、とりわけ、粘度、粘度指数、硫黄含有量、耐酸化性を有しなければならないことを除いて、一般に制限はない。もちろん、それらはまた、それらが組み合わされるオイル又は一般式（I）のジエステルによってもたらされる特性に影響してはならない。
【００８６】
好ましくは、本発明による潤滑組成物は、API分類のグループII、III、及びIVから選択される基油を含む。
【００８７】
特に、本発明による潤滑組成物は、少なくとも１つのグループIIIの基油を含んでよい。
【００８８】
本発明による潤滑組成物は、その総質量に基づいて少なくとも５０質量％の基油（１つ又は複数）、特に少なくとも６０質量％の基油（１つ又は複数）、さらに特に６０〜９９質量％の基油（１つ又は複数）を含むことができる。
【００８９】
好ましくは、グループIIIの油（１つ又は複数）は、組成物の基油の総質量の少なくとも５０質量％、特に少なくとも６０質量％に相当する。
【００９０】
添加剤
本発明による潤滑組成物は、車両エンジン、特に自動車エンジン用の潤滑剤に使用するのに適した全てのタイプの添加剤をさらに含むことができる。
【００９１】
これらの添加剤は、個別に、及び／又は当業者に周知のACEA（欧州自動車工業会）及び／又はAPI（米国石油協会）によって定義された性能レベルを有する商用車両エンジン潤滑油製剤用にすでに市場で入手可能なものと同様の混合物の形態で導入することができる。
【００９２】
したがって、本発明による潤滑組成物は、摩擦調整添加剤、耐摩耗添加剤、極圧添加剤、清浄添加剤、酸化防止添加剤、粘度指数（VI）向上剤、流動点降下剤（PPD）、分散剤、消泡剤、増粘剤、及びそれらの混合物から選択される１つ以上の添加剤を含むことができる。
【００９３】
摩擦調整添加剤に関する限り、それらは、金属元素を提供する化合物及び無灰（ash-free）化合物から選択されてもよい。
【００９４】
金属元素を提供する化合物の中では、遷移金属、例えば、Mo、Sb、Sn、Fe、Cu、Znの錯体が挙げられ、その配位子は、酸素、窒素、硫黄、又はリン原子を含む炭化水素化合物であり得る。
【００９５】
無灰(ash-free)摩擦調整添加剤は一般に有機起源であり、脂肪酸とポリオールのモノエステル、アルコキシル化アミン、アルコキシル化脂肪アミン、脂肪エポキシド、ホウ酸エステル化脂肪エポキシド（borate fatty epoxide）、脂肪アミン、又は脂肪酸グリセロールエステルから選択してよい。本発明によれば、脂肪化合物は、１０〜２４個の炭素原子を含む少なくとも１つの炭化水素基を含む。
【００９６】
有利な変形態様によれば、本発明による潤滑組成物は、少なくとも１つの摩擦調整添加剤、特にモリブデンをベースとするものを含む。
【００９７】
特に、モリブデンベースの化合物は、モリブデンジチオカルバメート（Mo-DTC）、モリブデンジチオホスフェート（Mo-DTP）、及びそれらの混合物から選択することができる。
【００９８】
本発明による潤滑組成物は、少なくとも１つのMo-DTC化合物及び少なくとも１つのMo-DTP化合物を含む。潤滑組成物は、とりわけ、１０００から２５００ｐｐｍの間のモリブデン量を含むことができる。
【００９９】
有利には、そのような組成物は、さらなる燃料節約の利点をもたらす。
【０１００】
有利には、本発明による潤滑組成物は、潤滑組成物の総質量に基づいて、０．０１〜５質量％、好ましくは０．０１〜５質量％、さらに特に０．１〜２質量％、さらにいっそう特に０．１〜１．５質量％の摩擦調整添加剤を含むことができ、有利には、少なくとも１つのモリブデンベースの摩擦調整添加剤を含む。
【０１０１】
耐摩耗添加剤及び極圧添加剤に関する限り、これらは、摩擦表面上に吸着された保護フィルムを形成することによって、擦られる表面を保護することを特に目的としている。さまざまな耐摩耗添加剤がある。
【０１０２】
本発明による潤滑組成物に特に適しているのは、ポリスルフィド添加剤、硫黄含有オレフィン添加剤、又はリン-硫黄添加剤、例えば、金属アルキルチオリン酸塩、特にアルキルチオリン酸亜鉛、さらに特にジアルキルジチオリン酸亜鉛又はZnDTPから選択される耐摩耗添加剤である。好ましい化合物は、式Zn((SP(S)(OR)(OR'))2（式中、R及びR'は同一でも異なっていてもよく、独立にアルキル基、好ましくは１〜１８個の炭素原子を含むアルキル基を表す）で表されるものである。
【０１０３】
有利には、本発明による潤滑組成物は、組成物の総質量に基づいて、０．０１〜６質量％、好ましくは０．０５〜４質量％、より好ましくは０．１〜２質量％の耐摩耗添加剤及び極圧添加剤を含むことができる。
【０１０４】
酸化防止添加剤に関する限り、それらは、使用されている潤滑組成物の劣化を遅らせることを本質的に目的としている。この劣化は、堆積物の形成、スラッジの形成、又は潤滑組成物の粘度の上昇をもたらしうる。それらは、特に、ラジカル阻害剤又はヒドロペルオキシド破壊剤として作用する。一般的に使用される酸化防止添加剤には、フェノール系酸化防止剤、アミノ系酸化防止添加剤、リン-硫黄酸化防止添加剤が包含される。これらの酸化防止酸化添加剤のいくつか、例えば、リン-硫黄酸化防止添加剤は、灰分発生剤となりうる。フェノール系酸化防止添加剤は、灰分を含まないか、あるいは中性又は塩基性の金属塩の形であることができる。酸化防止添加剤は、とりわけ、立体障害フェノール（ヒンダードフェノール）、立体障害フェノールエステル、及びチオエーテル架橋を含む立体障害フェノール、ジフェニルアミン類、少なくとも１つのＣ１〜Ｃ１２アルキル基で置換されたジフェニルアミン類、N,N'-ジアルキル-アリール-ジアミン、及びそれらの混合物から選択されうる。
【０１０５】
好ましくは、立体障害フェノールは、アルコール官能基を有する炭素に隣接する少なくとも１つの炭素が少なくとも１つのＣ１〜Ｃ１０アルキル基、好ましくはＣ１〜Ｃ６アルキル基、好ましくはＣ４アルキル基、好ましくはtert-ブチル基で置換されたフェノール基を含む化合物から選択される。
【０１０６】
アミノ化合物は、任意選択により場合によってはフェノール系酸化防止添加剤と組み合わせて使用することができる、別のクラスの酸化防止添加剤である。アミノ化合物の例は、芳香族アミン、例えば式NR5R6R7の芳香族アミンであり、式中、R5は任意選択により置換されていてもよい脂肪族基又は芳香族基を表し、R6は任意選択により置換されていてもよい芳香族基を表し、R7は水素原子、アルキル基、アリール基、又は式R8S(O)zR9（式中、R8はアルキレン基又はアルケニレン基を表し、R9はアルキル基、アルケニル基、又はアリール基を表し、zは０、１、又は２を表す）の基を表す。
【０１０７】
硫化アルキルフェノール又はそのアルカリ及びアルカリ土類金属塩も、酸化防止添加剤として使用できる。
【０１０８】
本発明による潤滑組成物は、当業者に知られているすべてのタイプの酸化防止添加剤を含むことができる。有利には、潤滑組成物は、少なくとも１つの灰分を含まない(ash-free)酸化防止添加剤を含有する。
【０１０９】
同様に有利には、本発明による潤滑組成物は、組成物の総質量に基づいて、少なくとも１つの酸化防止添加剤を０．１〜２質量％含んでもよい。
【０１１０】
いわゆる清浄添加剤の場合、それらは一般に、酸化及び燃焼副産物を溶解することにより、金属部品の表面上での堆積物の形成を低減する。
【０１１１】
本発明による潤滑組成物に使用できる清浄添加剤は、一般に当業者に知られている。清浄添加剤は、長い親油性炭化水素鎖と親水性頭部を含むアニオン性化合物であり得る。対になるカチオンは、アルカリ金属又はアルカリ土類金属の金属カチオンであり得る。
【０１１２】
清浄添加剤は、優先的には、カルボン酸のアルカリ金属又はアルカリ土類金属塩、スルホン酸塩、サリチル酸塩、ナフテン酸塩、及びフェネート塩から選択される。アルカリ及びアルカリ土類金属は、好ましくは、カルシウム、マグネシウム、ナトリウム、又はバリウムである。これらの金属塩は、一般に、化学量論量の又は過剰の、すなわち化学量論量よりも多い量の金属を含む。これらは過塩基性清浄添加剤である。清浄添加剤に過塩基性の特性をもたらす過剰な金属は、通常、基油に不溶性の金属塩、例えば、炭酸塩、水酸化物、シュウ酸塩、酢酸塩、グルタミン酸塩の形態であり、優先的には炭酸塩の形態である。
【０１１３】
本発明による潤滑組成物は、潤滑組成物の総質量に基づいて、０．５〜８質量％、好ましくは０．５〜４質量％の清浄添加剤を含んでもよい。
【０１１４】
有利には、本発明による潤滑組成物は、４質量％未満、特に２質量％未満、とりわけ１質量％未満の清浄添加剤を含むか、あるいは清浄添加剤を含まなくてもよい。
【０１１５】
流動点低下（PPD）添加剤に関していえば、この添加剤は、パラフィン結晶の形成を遅くすることによって、本発明による潤滑組成物の低温挙動を改善する。
【０１１６】
流動点低下剤の例として、ポリアルキルメタクリレート、ポリアクリレート、ポリアリールアミド、ポリアルキルフェノール、ポリアルキルナフタレン、及びアルキル化ポリスチレンを挙げることができる。
【０１１７】
分散剤は、潤滑組成物の使用中に生成する酸化副生成物から不溶性の固体汚染物質を懸濁させ及び除去するために使用される。それらは、マンニッヒ塩基、コハク酸イミド、及びそれらの誘導体から選択することができる。
【０１１８】
特に、本発明による潤滑組成物は、組成物の総質量に基づいて、０．２〜１０質量％の分散剤（１又は複数）を含むことができる。
【０１１９】
粘度指数(VI)向上剤、特に粘度指数(VI)向上ポリマーは、良好な低温性能及び高温での最小粘度を確実にする。粘度指数向上ポリマーの例には、ポリマーエステル、スチレン、ブタジエン、及びイソプレンの、水素化又は非水素化ホモポリマー又はコポリマー、オレフィン、例えば、エチレン又はプロピレンのホモポリマー又はコポリマー、ポリアクリレート及びポリメタクリレート（PMA）が含まれる。
【０１２０】
特に、本発明による潤滑組成物は、潤滑組成物の総質量に基づいて１〜１５重量％の粘度指数向上剤（１又は複数）を含むことができる。
【０１２１】
消泡添加剤は、極性ポリマー、例えば、ポリメチルシロキサン又はポリアクリレートから選択できる。
【０１２２】
特に、本発明による潤滑組成物は、潤滑組成物の総質量に基づいて０．０１〜３質量％の消泡添加剤（１又は複数）を含むことができる。
【０１２３】
応用
本発明による潤滑組成物は、エンジン、特に車両エンジン、さらに特に軽車両用の潤滑剤として特に興味深い用途を見出している。
【０１２４】
本発明による潤滑組成物は、特に有利な粘度等級（粘度グレード）を有する。
【０１２５】
本発明による潤滑組成物の粘度等級は、とりわけ、以下から選択することができる。
- 下の式（II）又は（III）で定義されるSAE J300分類に準拠した等級
【数１】
2020530052.tif 000010
ここで、Yは４〜２０、特に４〜１６又は４〜１２の整数を表す。または、
- 下の式（IV）又は（V）で定義されるSAE J300分類に準拠した等級
【数２】
2020530052.tif 000011
ここで、Xは０又は５を表す。
【０１２６】
特定の態様によれば、本発明による潤滑組成物のSAE J300分類による等級は、０Ｗ４、０Ｗ８、０Ｗ１２、０Ｗ１６、０Ｗ２０、５Ｗ４、５Ｗ８、５Ｗ１２、５Ｗ１６、及び５Ｗ２０から選択される。
【０１２７】
特に、本発明による潤滑組成物は、SAE J300分類による０Ｗ２０又は０Ｗ１６の等級を有し得る。
【０１２８】
有利には、本発明による潤滑組成物のASTM D445に準拠して１００℃において測定される動粘度は、３〜１５ｍｍ２・ｓ−１、特に３〜１３ｍｍ２・ｓ−１である。
【０１２９】
有利には、１５０℃において測定される高温高剪断（HTHS）粘度は、１．７ｍＰａ・ｓ以上、好ましくは１．７〜３．７ｍＰａ・ｓ、有利には２．３〜３．７ｍＰａ・ｓである。
【０１３０】
HTHS測定は、標準的方法であるCEC-L-36-A-90、ASTM D4683、及びASTM D4741に準拠して、高剪断（106 s-1）及び１５０℃にて行われる。
【０１３１】
有利には、本発明による潤滑組成物は、ASTM D5800に準拠して決定されるノアック揮発度（Noack volatility）が１５％以下、特に１４％以下である。
【０１３２】
上で示したように、本発明による潤滑組成物は、特に本発明による式（I）のジエステルの使用により、燃料消費の低減及びエンジンの清浄度の両方の点で良好な特性を有利に組み合わせることを可能にする。
【０１３３】
したがって、本発明は、式(X)W(Y)（Xは０又は５を表し、Yは、特に、エンジン、特に車両エンジンのための４〜２０の範囲の整数を表す）によって定義されるSAE J300分類による等級（グレード）の潤滑組成物における、本発明による式（Ｉ）のジエステルの使用を目的とする。
【０１３４】
エンジンの清浄度は、試験をする潤滑組成物、特にグループIII基油に関連する潤滑組成物を使用したエンジンテスト後に、エンジンのピストンの汚れを点数化することによって測定される。
【０１３５】
本発明は、本発明の当然に非限定的な例示として与えられる以下の実施例によって説明される。
【実施例】
【０１３６】
以下の例では、本発明による潤滑組成物、及び本発明によるジエステルの代わりに、例えば本発明のもの以外のモノエステル又はジエステルを含む比較組成物を、表１に示す以下の成分を用いて配合した：
- 本発明のエステル及び従来技術のエステルは、少なくとも２つのアルコール官能基を有する化合物と少なくとも２つの脂肪酸との間のエステル化反応によって得た。これらの酸は同一であることも、異なることもできる。
- 従来技術のエステルもまた、少なくとも２つのカルボン酸官能基を有する脂肪酸と少なくとも１つのアルコール官能基を有する少なくとも２つの化合物との間のエステル化反応によって得られた。それらのアルコールは同一であることも、異なることもできる。
【０１３７】
【表２】
2020530052.tif 000012
【０１３８】
例１
本発明による潤滑組成物及び比較組成物の物理化学的特性評価
下の表２及び表３は、本発明による潤滑組成物及び比較組成物の詳細、並びにそれらの物理化学的特性を示している。
【０１３９】
潤滑組成物は、以下の成分を室温において単に混合することによって得られる。
- 基油１は、たとえばSK社から「Yubase 4+」の商品名で市販されているグループIII基油（ASTM D-556に準拠して測定した100℃における動粘度= 4.11mm2/s）である。
- 基油２は、たとえばSK社から「Yubase 6」の商品名で市販されているグループIII基油（ASTM D-556に準拠して測定した100℃における動粘度= 6mm2/s）である。
- 分散剤、清浄剤、耐摩耗添加剤を含む従来の添加剤パッケージ１
- 従来の添加剤パッケージ２
- 従来の添加剤パッケージ３
- 従来の添加剤パッケージ４
- Infineum社から「SV（登録商標）」の商品名で市販されている従来の水素化ポリイソプレンスチレンポリマーである粘度指数向上剤１
- Infineum社から商品名「SV（登録商標）」で市販されている従来の水素化ポリイソプレンスチレンポリマーである粘度指数向上剤２
- Evonik社から商品名「Viscoplex（登録商標）」で市販されている従来のポリメタクリレートポリマーである粘度指数向上剤３
- Adeka社から「Sakuralube（登録商標）」の商品名で市販されている従来の有機モリブデン化合物である摩擦調整剤
- Evonik社から「Viscoplex（登録商標）」の商品名で市販されている従来のポリメタクリレートポリマーである流動点降下添加剤
- BASF社から商品名「Irganox（登録商標）」で市販されているアミン系酸化防止添加剤
【０１４０】
表２中、各潤滑組成物の成分含有量は、潤滑組成物の総質量に基づいた質量パーセントで示されている。
【０１４１】
このようにして調製された潤滑組成物の特性は、下の表３に載せてある。
【０１４２】
【表３】
2020530052.tif 000013
【０１４３】
【表４】
2020530052.tif 000014
【０１４４】
例２
燃料経済性（「燃料エコ」）に関する、本発明による組成物及び比較組成物の特性分析
この試験は、900〜4500 rpmの回転速度を負荷することができる発電機によって駆動され、5500 rpmにおいて81 kWの出力をもつEB 1.2 Lターボエンジンを使用して実施され、トルクセンサーが、エンジン内の部品の動きによって発生する摩擦トルクを測定する。 試験潤滑剤によって引き起こされる摩擦トルクを、各速度及び温度について、参照潤滑組成物（SAE 0W30）によって引き起こされるトルクと比較する。
【０１４５】
このテストの条件は次のとおりである。
テストは次の順序で実施する。
- 清浄添加剤を含むフラッシングオイルでエンジンを洗浄（フラッシング）し、続いて参照潤滑組成物で洗浄（フラッシング）する；
- 参照潤滑組成物を使用するエンジンについての、下に示す４つの異なる温度における摩擦トルクの測定；
- 清浄添加剤を含むフラッシングオイルでエンジンを洗浄し、続いて、評価する潤滑組成物で洗浄する；
- 評価する潤滑組成物を使用するエンジンについての、４つの異なる温度における摩擦トルクの測定；
- 清浄添加剤を含むフラッシングオイルでエンジンを洗浄し、続いて参照潤滑組成物で洗浄する；そして
- 参照潤滑組成物を使用するエンジンについての、下に示す４つの異なる温度における摩擦トルクの測定。
【０１４６】
NEDCのポイントをできるだけ代表的にカバーするように、速度範囲、速度変動、及び温度を選択した。
【０１４７】
実施される指示（インストラクション）は次のとおりである。
- モーター出口の水温：35℃／50℃／80℃／100℃±0.5℃、
- 油温ランプ：35℃／50℃／80℃／110℃±0.5℃。
【０１４８】
フリクションゲイン（friction gain）は、各潤滑組成物（C1、CC1〜CC3）について、エンジンの温度と速度の関数として、かつ参照潤滑組成物の摩擦と比較して評価される。
【０１４９】
「燃料エコ」試験の結果を下の表４にまとめ、900 rpm〜4500 rpmの速度範囲にわたり所定の温度における各化合物に対するフリクションゲインの平均パーセント割合を示す。
【０１５０】
【表５】
2020530052.tif 000015
【０１５１】
これらの結果は、本発明によるエステルを含む組成物C1のフリクションゲインが、エステルを含まない比較組成物CC1、本発明のものとは異なるエステルを含むCC2及びCC3で得られたフリクションゲインよりもはるかに大きいことを示している。
【０１５２】
フリクションゲインが大きくなるほど、燃料経済性又は燃料エコが大きくなることがわかっている。したがって、これは、エステルを含まない又は本発明のエステルとは異なるエステルを含む組成物とは対照的に、本発明による組成物は燃料エコを高めることを可能にすることを意味している。
【０１５３】
例３
燃料経済性（「燃料エコ」）に関する、本発明による組成物及び比較組成物の特性分析
この試験は、1000〜4400 rpmの回転速度をかけることができる発電機によって駆動され、6500 rpmにおいて180 kWの出力をもつ日産HR12DDRエンジンを使用して行い、トルクセンサーが、エンジン内の部品の動きによって発生する摩擦トルクを測定する。試験潤滑剤によって引き起こされる摩擦トルクは、各速度及び温度について、試験潤滑剤の前と後に評価された参照潤滑組成物（SAE 0W16）によって引き起こされた平均トルクと比較される。
【０１５４】
この試験のための条件は以下のとおりである。
試験は次の順序で実施される。
- 清浄添加剤を含むフラッシングオイルでエンジンを洗浄（フラッシング）し、続いて参照潤滑組成物で洗浄（フラッシング）する；
- 参照潤滑組成物を使用するエンジンについての、下に示す４つの異なる温度における摩擦トルクの測定；
- 清浄添加剤を含むフラッシングオイルでエンジンを洗浄し、続いて、評価する潤滑組成物で洗浄する；
- 評価する潤滑組成物を使用するエンジンについて、４つの異なる温度における摩擦トルクの測定；
- 清浄添加剤を含むフラッシングオイルでエンジンを洗浄し、続いて参照潤滑組成物で洗浄する；そして
- 参照潤滑組成物を使用するエンジンについての、下に示す４つの異なる温度における摩擦トルクの測定。
【０１５５】
NEDCのポイントをできるだけ代表的にカバーするように、速度範囲、速度変動、及び温度を選択した。
【０１５６】
実施される指示（インストラクション）は次のとおりである。
- モーター出口の水温：30℃／50℃±0.5℃、
- 油温ランプ：30℃／50℃±0.5℃。
【０１５７】
フリクションゲイン（friction gain）は、各潤滑組成物（C2、C3、CC4〜CC6）について、エンジンの温度と速度の関数として、かつ参照潤滑組成物の摩擦と比較して評価される。
【０１５８】
「燃料エコ」試験の結果を下の表５にまとめ、1000 rpm〜4400 rpmの速度範囲にわたり所定の温度における各化合物のフリクションゲインの平均パーセント割合を示す。
【０１５９】
【表６】
2020530052.tif 000016
【０１６０】
これらの結果は、本発明によるエステルを含む組成物C2及びC3の摩擦ゲインは、エステルを含まない比較組成物CC4並びに本発明のものとは異なるエステルを含むCC5及びCC6で得られるフリクションゲインよりもはるかに大きいことを示している。
【０１６１】
これらの結果はまた、比較組成物CC4からCC6がフリクションゲインを示さず、むしろ摩擦損失（フリクションロス）を示すことを示しており、このことは、比較組成物CC4からCC6が燃料エコを可能にせず、それとは反対に、参照組成物と比較して、燃料の過剰消費をもたらすことを意味している。
【０１６２】
フリクションゲインが大きくなればなるほど、燃料経済性又は燃料エコが大きくなることがわかっている。したがって、これは、エステルを含まない又は2-エチルヘキシルセバケートなどの、本発明のエステルとは異なるエステルを含む組成物とは対照的に、本発明による組成物が、燃料エコを高めることを可能にすることを意味している。
【０１６３】
例４
燃料経済性（「燃料エコ」）に関する、本発明による組成物及び比較組成物の特性分析
この試験は、650〜5000 rpmの回転速度をかけることができる発電機によって駆動され、5500 rpmにおいて81 kWの出力をもつホンダL13-Bエンジンを使用して行い、トルクセンサーが、エンジン内の部品の動きによって発生する摩擦トルクを測定する。試験潤滑剤によって引き起こされる摩擦トルクは、各速度及び温度について、参照潤滑組成物（SAE 0W16）によって引き起こされるトルクと比較される。
【０１６４】
このテストの条件は次のとおりである。
テストは次の順序で実施する。
- 清浄添加剤を含むフラッシングオイルでエンジンを洗浄（フラッシング）し、続いて参照潤滑組成物で洗浄（フラッシング）する；
- 参照潤滑組成物を使用するエンジンについての、下に示す４つの異なる温度における摩擦トルクの測定；
- 清浄添加剤を含むフラッシングオイルでエンジンを洗浄（フラッシング）し、続いて、評価する潤滑組成物で洗浄（フラッシング）する；
- 評価する潤滑組成物を使用するエンジンについての、４つの異なる温度における摩擦トルクの測定；
- 清浄添加剤を含むフラッシングオイルでエンジンを洗浄（フラッシング）し、続いて参照潤滑組成物で洗浄（フラッシング）する；そして
- 参照潤滑組成物を使用するエンジンについての、下に示す４つの異なる温度における摩擦トルクの測定。
【０１６５】
NEDCのポイントをできるだけ代表的にカバーするように、速度範囲、速度変動、及び温度を選択した。
【０１６６】
実施される指示（インストラクション）は次のとおりである。
- モーター出口の水温：35℃／50℃±0.5℃、
- 油温ランプ：35℃／50℃±0.5℃。
【０１６７】
フリクションゲイン（friction gain）は、各潤滑組成物（C4及びCC7）について、エンジンの温度と速度の関数として、かつ参照潤滑組成物の摩擦と比較して評価される。
【０１６８】
「燃料エコ」試験の結果を下の表５にまとめ、650 rpm〜5000 rpmの速度範囲にわたり所定の温度における各化合物のフリクションゲインの平均パーセント割合を示す。
【０１６９】
【表７】
2020530052.tif 000017
【０１７０】
これらの結果は、本発明によるエステルの混合物を含む組成物C4に対するフリクションゲインが、エステルとして本発明のものとは異なるセバシン酸2-エチルヘキシルを含む比較組成物CC7で得られるフリクションゲインよりもはるかに大きいことを示している。
【０１７１】
摩擦ゲインが大きくなればなるほど、燃料経済性又は燃料エコが大きくなることがわかっている。したがって、これは、エステルを含まない又はセバシン酸2-エチルヘキシルなどの本発明のエステルとは異なるエステルを含む組成物とは対照的に、本発明の組成物は燃料エコを高めることを可能にすることを意味している。
【０１７２】
例５
本発明による潤滑組成物C5及び比較潤滑組成物CC8の、エンジン清浄度改善特性の評価
潤滑組成物C5及びCC8についてのエンジン清浄性能は、次の方法を使用して評価される。
【０１７３】
各潤滑剤組成物（10 kg）を、自動車用のコモンレール式ディーゼルエンジンの清浄度テスト中に評価する。そのエンジンは４気筒で排気量は1.4 Lである。その出力は80 kWである。テストサイクル時間は、アイドリングと4000 rpmを交互に繰り返しながら96時間である。潤滑剤組成物の温度は145℃、冷却システムの水温は100℃である。試験中、潤滑組成物の排出又は補充は行わない。EN 590燃料を使用する。
【０１７４】
試験は、２段階で、合計１０６時間のあいだ、１０時間のリンス（rinsing）及び慣らし運転の第１段階、次に、評価される組成物（4 kg）を用いての第２段階、最後に、評価される組成物（4 kg）を用いての９６時間続く耐久段階で行われる。
【０１７５】
この試験の後、エンジン部品を分析し、４つのピストンを欧州規格CEC M02A78に準拠して評価した。各ピストンについてそのメリット評価（堆積物評価、merit rating）を行い、４つのピストンの合計ピストンメリット評価（ピストン堆積物評価、piston merit rating）の平均を計算する。
【０１７６】
得られた結果を表７にまとめてある。
【０１７７】
参照オイルの定期的な通過は、２つの候補の間の４ポイントの差が顕著な差であることを示した。
【０１７８】
平均メリット評価の値が高いほど、ピストンの清浄度はより良好であり、したがって潤滑組成物の性能がより良好であり、エンジンの清浄度を向上させる。
【０１７９】
【表８】
2020530052.tif 000018
【０１８０】
この結果は、潤滑組成物における本発明によるエステルの使用（潤滑組成物C5）が、本発明によるエステルを含まない比較潤滑組成物（潤滑組成物CC8）と比較して、エンジンの清浄度を向上させることを示している。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
式（Ｘ）Ｗ（Ｙ）（Ｘは０又は５を表し、Ｙは４〜２０の範囲の整数を表す）によって定義されるＳＡＥ  Ｊ３００分類による等級の潤滑組成物であって、下記式（Ｉ）：
【化１】
2020530052.tif 000021
（式中：
- Rは、独立に、水素原子、又は直鎖状の若しくは分岐した（Ｃ１〜Ｃ５）アルキル基を表し；
- sは、１、２、３、４、５、又は６であり；
- nは、１、２、又は３であり；
ただし、sが１と異なる場合は、nは同じでも異なっていてもよいことが理解され；そして
- Ra及びRbは、同一でも異なっていてもよく、独立に、６〜１８個の炭素原子の直鎖を有する飽和又は不飽和の、直鎖状の又は分岐した炭化水素基を表し；
ただし、sが２であり、n（これは同一である）が２である場合には、R基の少なくとも１つは直鎖状の又は分岐した（Ｃ１〜Ｃ５）アルキル基を表し；かつ
ただし、sが１であり、nが３である場合には、エステル官能基の酸素原子のベータ位の炭素に結合したR基の少なくとも１つは水素原子を表す）
の少なくとも１つのジエステルを含む、潤滑組成物。
【請求項２】
Ra及びRbは、同じでも異なっていてもよく、７〜１４個の炭素原子の線形配列を有することを特徴とする、請求項１に記載の組成物。
【請求項３】
Ra及びRbは、同じでも異なっていてもよく、Ｃ６〜Ｃ１８の直鎖アルキル基を表すことを特徴とする、請求項１又は２に記載の組成物。
【請求項４】
Ra及びRbが両方ともn-オクチル又はn-ウンデシル基を表すことを特徴とする、請求項１〜３のいずれか一項に記載の組成物。
【請求項５】
前記ジエステルが、下記式（I'）：
【化２】
2020530052.tif 000022
（式中：
- R及びR’は、独立に、水素原子、又は直鎖状の若しくは分岐した（Ｃ１〜Ｃ５）アルキル基を表し；
- sは、１、２、又は３であり；
- nは２であり；
- mは２であり；
- Ra及びRbは、同一でも異なっていてもよく、独立に、６〜１８個の炭素原子の直鎖を有する飽和又は不飽和の、直鎖状の又は分岐した炭化水素基を表し；
ただし、sが２である場合は、R又はR’基の少なくとも１つは、直鎖状の又は分岐した（Ｃ１〜Ｃ５）アルキル基を表す）
のジエステルであることを特徴とする、請求項１〜４のいずれか一項に記載の組成物。
【請求項６】
前記ジエステルが式（I'）のジエステルであり、式（I'）において、
- sが２であり；
- R基の１つが直鎖状の又は分岐した（Ｃ１〜Ｃ５）アルキル基を表し；
- R'基の１つが直鎖状の又は分岐した（Ｃ１〜Ｃ５）アルキル基を表し；その他のR及びR'基は水素原子を表す、
ことを特徴とする、請求項５に記載の組成物。
【請求項７】
- sが１に等しく；
- R基の１つが直鎖状の又は分岐した（Ｃ１〜Ｃ５）アルキル基を表し；その他は水素原子を表す、
ことを特徴とする、請求項５に記載の組成物。
【請求項８】
前記ジエステルが、モノプロピレン又はポリプロピレングリコールと、１つ以上のカルボン酸Ra-COOH及びRb-COOHとの間のエステル化反応によって得られるものであることを特徴とする、請求項１〜７のいずれか一項に記載の組成物。
【請求項９】
組成物の総質量に基づいて、式（I）のジエステル（１又は複数）を１〜３０質量％含むことを特徴とする、請求項１〜８のいずれか一項に記載の組成物。
【請求項１０】
API分類のグループII、III、及びIVの油から選択される１種以上の基油を含むことを特徴とする、請求項１〜９のいずれか一項に記載の組成物。
【請求項１１】
摩擦調整添加剤、耐摩耗添加剤、極圧添加剤、清浄添加剤、酸化防止添加剤、粘度指数向上剤、流動点降下剤、分散剤、消泡剤、増粘剤、及びそれらの混合物から選択される１つ以上の添加剤を含む、請求項１〜１０のいずれか一項に記載の組成物。
【請求項１２】
少なくとも１つの摩擦調整添加剤を含む、請求項１〜１１のいずれか一項に記載の組成物。
【請求項１３】
０Ｗ４、０Ｗ８、０Ｗ１２、０Ｗ１６、０Ｗ２０、５Ｗ４、５Ｗ８、５Ｗ１２、５Ｗ１６、及び５Ｗ２０から選択されるＳＡＥ  Ｊ３００分類による等級の、請求項１〜１２のいずれか一項に記載の組成物。
【請求項１４】
エンジン用の潤滑剤としての、請求項１〜１３のいずれか一項に記載の組成物の使用。
【請求項１５】
エンジンの燃料消費を低減するための、式（Ｘ）Ｗ（Ｙ）（Ｘは０又は５を表し、Ｙは４〜２０の範囲の整数を表す）によって定義され、かつエンジンのためのものであるＳＡＥ  Ｊ３００分類による等級の潤滑組成物中の添加剤としての、請求項１〜８のいずれか一項において定義する式（I）のジエステルの使用。
【請求項１６】
エンジンの清浄度を向上させるための、式（Ｘ）Ｗ（Ｙ）（Ｘは０又は５を表し、Ｙは４〜２０の範囲の整数を表す）によって定義され、かつエンジンのためのものであるＳＡＥ  Ｊ３００分類による等級の潤滑組成物中の添加剤としての、請求項１〜８のいずれか一項において定義する式（I）のジエステルの使用。
【国際調査報告】
2020530052.tif 000023
2020530052.tif 000024
2020530052.tif 000025
2020530052.tif 000026
2020530052.tif 000027
2020530052.tif 000028